(57)【要約】【課題】  車両用表示装置が起動を開始してから画像表示手段に画像が表示できるまでの時間を短縮する。【解決手段】  本発明に係る車両用表示装置は、画像表示手段２と、画像とオペレーティングシステムOSと第１アプリAPP1と第２アプリAPP2と車両情報V_INFOと状態遷移情報OSとが記憶された第１不揮発性メモリ３１と、演算結果を記憶する第１揮発性メモリ３２と、オペレーティングシステムOSを動作させた上で第１アプリAPP1を動作させて状態遷移情報STに基づいて車両情報V_INFOに対応する画像V_INFO_IMGを画像表示手段２に表示させる第１制御手段３と、を備える。第１制御手段３は、起動を開始すると、オペレーティングシステムOSと第１アプリAPP1と状態遷移情報STのいずれか１つを第１不揮発性メモリ３１から第１揮発性メモリ３２に展開するよりも前に、第２アプリを動作させて前記画像表示手段２に所定の画像P_OP_IMGを表示させる。【選択図】  図３
2018013648.tif 000002
【特許請求の範囲】
【請求項１】
画像を表示する画像表示手段と、
画像と、オペレーティングシステムと、第１アプリケーションソフトウェアと、第２アプリケーションソフトウェアと、車両情報と前記画像と前記画像を表示する条件および配置とを対応付ける状態遷移情報と、が記憶された第１不揮発性メモリと、
演算結果を記憶する第１揮発性メモリと、
前記オペレーティングシステムと前記第１アプリケーションソフトウェアと前記状態遷移情報とを前記第１不揮発性メモリから前記第１揮発性メモリに展開し、前記オペレーティングシステムを動作させた上で前記第１アプリケーションソフトウェアを動作させ、前記状態遷移情報に基づいて前記車両情報に対応する前記画像を前記画像表示手段に表示させる第１制御手段と、を備えた車両用表示装置であって、
前記第１制御手段は、起動を開始すると、前記オペレーティングシステムと前記第１アプリケーションソフトウェアと前記状態遷移情報のいずれか１つを前記第１不揮発性メモリから前記第１揮発性メモリに展開するよりも前に、前記第２アプリケーションソフトウェアを動作させて前記画像表示手段に所定の画像を表示させる、
ことを特徴とする車両用表示装置。
【請求項２】
前記第１制御手段は、前記オペレーティングシステムと前記第１アプリケーションソフトウェアと前記状態遷移情報とを前記第１不揮発性メモリから前記第１揮発性メモリに展開を終えると、前記所定の画像に連なるアニメーションを前記画像表示手段に表示させる、
ことを特徴とする請求項１に記載の車両用表示装置。
【請求項３】
車両情報を入力する入力手段に接続され、前記入力手段から取得した前記車両情報を前記第１制御手段に送信する第２制御手段を備え、
前記第２制御手段は、前記第１制御手段が前記第２アプリケーションソフトウェアを動作させて前記画像表示手段に所定の画像を表示させる前に、前記画像表示手段の設定を変更するコマンドを前記画像表示手段に送信する、
ことを特徴とする請求項１または請求項２に記載の車両用表示装置。
【請求項４】
前記第２制御手段は、第２不揮発性メモリと第２揮発性メモリを内蔵する、
ことを特徴とする請求項３に記載の車両用表示装置。
【発明の詳細な説明】
【技術分野】
【０００１】
本発明は、車両情報を画像で表示する車両用表示装置に関する。
【背景技術】
【０００２】
車両情報を画像で表示する車両用表示装置として、特許文献１に開示されたものがある。この車両用表示装置は、グラフィックコントローラがオペレーティングシステム（基本ソフトウェア）が動作した上でアプリケーションソフトウェアを動作させて画像表示手段に車両情報を画像で表示させている。
【先行技術文献】
【特許文献】
【０００３】
【特許文献１】特開２０１３−２５６５２号公報
【発明の概要】
【発明が解決しようとする課題】
【０００４】
特許文献１に開示された車両用表示装置は、グラフィックコントローラが画像表示手段に画像を表示する準備として、オペレーティングシステムの起動、オペレーティングシステム上で動作するアプリケーションソフトウェアの起動、車両情報と画像データおよび画像データの配置や表示条件を関連付けた状態遷移データの読み込み、などの初期化処理が必要である。しかしながら、この初期化処理が全て終わるには時間を要し、車両用表示装置が起動を開始してから画像表示手段に画像が表示できるまで時間が長くなる、という課題がある。
【０００５】
本発明は、上述した課題に鑑みてなされたものであり、車両用表示装置が起動を開始してから画像表示手段に画像が表示できるまでの時間を短縮する、ことを目的とする。
【課題を解決するための手段】
【０００６】
本発明に係る車両用表示装置は、
画像を表示する画像表示手段と、
画像と、オペレーティングシステムと、第１アプリケーションソフトウェアと、第２アプリケーションソフトウェアと、車両情報と前記画像と前記画像を表示する条件および配置とを対応付ける状態遷移情報と、が記憶された第１不揮発性メモリと、
演算結果を記憶する第１揮発性メモリと、
前記オペレーティングシステムと前記第１アプリケーションソフトウェアと前記状態遷移情報とを前記第１不揮発性メモリから前記第１揮発性メモリに展開し、前記オペレーティングシステムを動作させた上で前記第１アプリケーションソフトウェアを動作させ、前記状態遷移情報に基づいて前記車両情報に対応する前記画像を前記画像表示手段に表示させる第１制御手段と、を備えた車両用表示装置であって、
前記第１制御手段は、起動を開始すると、前記オペレーティングシステムと前記第１アプリケーションソフトウェアと前記状態遷移情報のいずれか１つを前記第１不揮発性メモリから前記第１揮発性メモリに展開するよりも前に、前記第２アプリケーションソフトウェアを動作させて前記画像表示手段に所定の画像を表示させる。
【０００７】
本発明に係る車両用表示装置の
前記第１制御手段は、前記オペレーティングシステムと前記第１アプリケーションソフトウェアと前記状態遷移情報とを前記第１不揮発性メモリから前記第１揮発性メモリに展開を終えると、前記所定の画像に連なるアニメーションを前記画像表示手段に表示させる、
ように構成することが好ましい。
【０００８】
本発明に係る車両用表示装置は、
車両情報を入力する入力手段に接続され、前記入力手段から取得した前記車両情報を前記第１制御手段に送信する第２制御手段を備え、
前記第２制御手段は、前記第１制御手段が前記第２アプリケーションソフトウェアを動作させて前記画像表示手段に所定の画像を表示させる前に、前記画像表示手段の設定を変更するコマンドを前記画像表示手段に送信する、
ように構成することが好ましい。
【０００９】
本発明に係る車両用表示装置の
前記第２制御手段は、第２不揮発性メモリと第２揮発性メモリを内蔵する、
ように構成することが好ましい。
【発明の効果】
【００１０】
本発明によれば、車両用表示装置が起動を開始してから画像表示手段に画像が表示できるまでの時間を短縮する、ことができる。
【図面の簡単な説明】
【００１１】
【図１】本発明に係る車両用表示装置の正面図。
【図２】同車両用表示装置の電気的構成図。
【図３】同車両用表示装置の起動開始時に手順を示すシーケンス図。
【図４】同車両用表示装置の起動開始時の手順の変形例を示すシーケンス図。
【発明を実施するための形態】
【００１２】
車両用表示装置は、図１に示すように、指示計器１と、画像表示手段２と、を備え、車両情報V_INFOを表示する計器である。車両用表示装置は、図２に示すように、指示計器１と、画像表示手段２と、第１制御手段３と、第１不揮発性メモリ３１と、第１揮発性メモリ３２と、第２制御手段４と、入力手段５と、から主に構成される。
【００１３】
指示計器１は、指標目盛が形成された文字板と、文字板上を回動する指針と、指針を回動させるモーターと、から主に構成される。指示計器１は、第２制御手段４に制御されて車両情報V_INFOを表示する計器であり、車両の走行速度やエンジン回転数に対応する指標目盛の位置を指針で指示することにより、車両の走行速度やエンジン回転数を表示する。
【００１４】
画像表示手段２は、液晶パネルと、液晶パネルを照明するバックライトと、から主に構成される。画像表示手段２は、第１制御手段３に制御されて車両情報V_INFOを画像によって表示する計器であり、例えば、車両の総走行距離や経路案内情報などの車両情報V_INFOを画像として表示する。
【００１５】
第１制御手段３は、画像表示手段２を制御するグラフィックコントローラである。第１制御手段３は、第１不揮発性メモリ３１と、第１揮発性メモリ３２が接続されている。第１制御手段３は、後述する第２制御手段４から車両情報V_INFOが入力されると、車両情報V_INFOを表す画像V_INFO_IMGを画像表示手段２に表示させる。
【００１６】
第１不揮発性メモリ３１は、オペレーティングシステムOSと、第１アプリケーションソフトウェアAPP1と、各種画像と、車両情報V_INFOと画像と表示条件および表示位置とを対応付けた状態遷移情報STと、第２アプリケーションソフトウェアAPP2と、が記憶されている。
【００１７】
第１揮発性メモリ３２は、第１制御手段３のワーキングメモリであり、第１制御手段３によって第１不揮発性メモリ３１から、オペレーティングシステムOS、第１アプリケーションソフトウェアAPP1、各種画像、状態遷移情報ST、第２アプリケーションソフトウェアAPP2が展開されるとともに、第１制御手段３が演算した結果を記憶する。
【００１８】
第２制御手段４は、ＣＰＵと、第２不揮発性メモリ４１と、第２揮発性メモリ４２と、を内蔵したマイクロコントローラである。第２不揮発性メモリ４１は、第２制御手段４のＣＰＵが動作させるアプリケーションソフトウェアが記憶されている。第２揮発性メモリ４２は、第２制御手段４のワーキングメモリであり、第２制御手段４のＣＰＵによって第２不揮発性メモリ４１からアプリケーションソフトウェアが展開されるとともに、第２制御手段４のＣＰＵが演算した結果を記憶する。
【００１９】
第２制御手段４は、ＬＩＮ（Local Interconnect Network）、ＣＡＮ（Controller Area Network）、などの車内ネットワークや、各種センサからの信号を入力するハードワイヤなどの入力手段５に接続されている。第２制御手段４は、入力手段５から車両の走行速度やエンジン回転数、イグニッションスイッチの状態、経路案内情報などの種々の車両情報V_INFOを取得する。また、第２制御手段４は、画像表示手段２とＳＰＩ（Serial Peripheral Interface）で接続しており、画像表示手段２に設定変更コマンドを送信して、画像表示手段２の設定を変更する。
【００２０】
車両のイグニッションがオンされたことを契機に、車両用表示装置が起動し、車両情報V_INFOを表示するまでの初期化処理の手順について図３を参照して説明する。
【００２１】
第２制御手段４は、入力手段５からイグニッションスイッチがオンされた情報IGN_ONが入力されると、画像表示手段２に初期化コマンドSET_CMDを送信し、画像表示手段２に初期化処理INITを実行させる。
【００２２】
第２制御手段４は、画像表示手段２に初期化コマンドSET_CMDを送信した後、第１制御手段３に起動信号RESETを送信し、第１制御手段３に起動を開始させる。
【００２３】
第１制御手段３は、起動信号RESETを受信すると、第１不揮発性メモリ３１から第２アプリケーションソフトウェアAPP2を第１揮発性メモリ３２に展開し、第２アプリケーションソフトウェアAPP2を実行する。第１制御手段３は、第２アプリケーションソフトウェアAPP2を実行することにより、前開始画像P_OP_IMGを画像表示手段２に送信し、画像表示手段２に前開始画像P_OP_IMGを表示させる。
【００２４】
第１制御手段３は、第１不揮発性メモリ３１からオペレ―ティングシステムOSを第１揮発性メモリ３１に展開して起動する。
【００２５】
第１制御手段３は、オペレーティングシステムOSを起動した後、状態遷移情報STを第１不揮発性メモリ３１から第１揮発性メモリ３２に展開する。
【００２６】
第１制御手段３は、状態遷移情報STを第１揮発性メモリに展開した後、第１不揮発性メモリ３１から第１アプリケーションソフトウェアAPP1を第１揮発性メモリ３２に展開し、第１アプリケーションソフトウェアAPP1を実行する。第１アプリケーションソフトウェアAPP1は、オペレーティングシステムOSが動作した上で実行可能なアプリケーションソフトウェアである。第１制御手段３は、第１アプリケーションソフトウェアAPP1の実行を開始すると、第１アプリケーションソフトウェアAPP1によって、まず最初に開始画像OP_IMGを画像表示手段２に送信し、画像表示手段２に開始画像OP_IMGを所定時間表示させる。
【００２７】
第２制御手段４は、車両の走行速度やエンジン回転数、経路案内情報などの車両情報V_INFOを入力手段５から取得すると、第１制御手段３に取得した車両情報V_INFOを送信する。また、第２制御手段４は、車両情報V_INFOのうち車両の走行速度とエンジン回転数を指示計器１に表示させる。
【００２８】
第１制御手段３は、第１制御手段３が第２制御手段４から受信した車両情報V_INFOに応じた画像V_INFO_IMGを生成する。
第２制御手段３は、車両情報V_INFOに応じた画像V_INFO_IMGを画像表示手段２に送信し、画像表示手段２に車両情報V_INFOに応じた画像V_INFO_IMG表示させる。
【００２９】
以上が、車両のイグニッションがオンされたことを契機に、車両用表示装置が起動し、車両情報V_INFOを表示するまでの初期化処理の手順である。
【００３０】
次に、車両のイグニッションがオンされたことを契機に、車両用表示装置が起動し車両情報V_INFOを表示するまでの初期化処理の手順の変形例について、図４を参照して説明する。
【００３１】
（変形例）
第２制御手段４は、入力手段５からイグニッションスイッチがオンされた情報IGN_ONが入力されると、画像表示手段２に第１初期化コマンドSET_CMD1を送信し、画像表示手段２に第１初期化処理INIT1を実行させる。この第１初期化コマンドSET_CMD1は、画像表示手段２の表示許可コマンドである。画像表示手段２は、第１初期化コマンドSET_CMD1を受信すると、第１初期化動作INIT1を実行すると、画像表示可能な状態となる。
【００３２】
第２制御手段４は、画像表示手段２に第１初期化コマンドSET_CMD1を送信した後、第１制御手段３に起動信号RESETを送信し、第１制御手段３に起動を開始させる。
【００３３】
第２制御手段４は、第１制御手段３の起動信号RESETを送信した後、画像表示手段２に第２初期化コマンドSET_CMD2を送信し、画像表示手段２に第２初期化処理INIT2を実行させる。この第２初期化コマンドSET_CMD2は、画像表示手段２が入力するピクセルフォーマットを設定するコマンドである。
【００３４】
第１制御手段３は、起動信号RESETを受信すると、第１不揮発性メモリ３１からオペレ―ティングシステムOSを第１揮発性メモリに展開して起動する。
【００３５】
第１制御手段３は、オペレーティングシステムOSを起動した後、第１不揮発性メモリ３１から第２アプリケーションソフトウェアAPP2を第１揮発性メモリ３２に展開し、第２アプリケーションソフトウェアAPP2を実行する。変形例における第２アプリケーションソフトウェアAPP2は、オペレーティングシステムOSが動作した上で実行可能なアプリケーションソフトウェアである。第１制御手段３は、第２アプリケーションソフトウェアAPP2を実行することにより、前開始画像P_OP_IMGを画像表示手段２に送信し、画像表示手段２に前開始画像P_OP_IMGを表示させる。
【００３６】
第１制御手段３は、画像表示手段２に前開始画像P_OP_IMGを表示させた後、状態遷移情報STを第１不揮発性メモリ３１から第１揮発性メモリ３２に展開する。
【００３７】
第１制御手段３は、状態遷移情報STを第１揮発性メモリ３２に展開した後、第１不揮発性メモリ３１から第１アプリケーションソフトウェアAPP1を第１揮発性メモリ３２に展開し、第１アプリケーションソフトウェアAPP1を実行する。第１制御手段３は、第１アプリケーションソフトウェアAPP1の実行を開始すると、最初に開始アニメーションOP_ANIMEを画像表示手段２に送信し、画像表示手段２に開始アニメーションOP_ANIMEを表示させる。この開始アニメーションOP_ANIMEは、前開始画像P_OP_IMGと連続性を持つアニメーションであると、前開始画像P_OP_IMGと開始アニメーションOP_ANIMEとが一連の表示として違和感なく運転者に視認される。
【００３８】
第２制御手段４は、車両の走行速度やエンジン回転数、経路案内情報などの車両情報V_INFOを入力手段５から取得すると、第１制御手段３に取得した車両情報V_INFOを送信する。また、第２制御手段４は、車両情報V_INFOのうち車両の走行速度とエンジン回転数を指示計器１に表示させる。
【００３９】
第１制御手段３は、第１制御手段３が第２制御手段４から受信した車両情報に応じた画像V_INFO_IMGを生成する。
第２制御手段３は、車両情報V_INFOに応じた画像V_INFO_IMGを画像表示手段２に送信し、画像表示手段２に車両情報V_INFOに応じた画像V_INFO_IMG表示させる。
【００４０】
以上が、車両のイグニッションがオンされたことを契機に、車両用表示装置が起動し、車両情報V_INFOを表示するまでの初期化処理の手順の変形例である。
【００４１】
以上のように、本発明に係る車両用表示装置は、画像を表示する画像表示手段２と、画像と、オペレーティングシステムOSと、第１アプリケーションソフトウェアAPP1と、第２アプリケーションソフトウェアAPP2と、車両情報V_INFOと画像と画像を表示する条件および配置とを対応付ける状態遷移情報OSと、が記憶された第１不揮発性メモリ３１と、演算結果を記憶する第１揮発性メモリ３２と、オペレーティングシステムOSと第１アプリケーションソフトウェアAPP1と状態遷移情報OSとを第１不揮発性メモリ３１から第１揮発性メモリ３２に展開し、オペレーティングシステムOSを動作させた上で第１アプリケーションソフトウェアAPP1を動作させ、状態遷移情報STに基づいて車両情報V_INFOに対応する画像V_INFO_IMGを画像表示手段２に表示させる第１制御手段３と、を備えた車両用表示装置であって、第１制御手段３は、起動を開始すると、オペレーティングシステムOSと第１アプリケーションソフトウェアAPP1と状態遷移情報STのいずれか１つを第１不揮発性メモリ３１から第１揮発性メモリ３２に展開するよりも前に、第２アプリケーションソフトウェアを動作させて前記画像表示手段２に所定の画像P_OP_IMGを表示させる。
このように構成することで、車両用表示装置が起動を開始してから画像表示手段に画像が表示できるまでの時間を短縮する、ことができる。
【００４２】
本発明は上記の実施形態（図面の内容も含む）によって限定されるものではない。本発明の主旨に従う範囲で、上記の実施形態に変更（構成要素の削除も含む）を加えることができる。
【符号の説明】
【００４３】
１        ：指示計器
２        ：画像表示手段
３        ：第１制御手段
３１      ：不揮発性メモリ
３２      ：揮発性メモリ
４        ：第２制御手段
４１      ：不揮発性メモリ
４２      ：揮発性メモリ
５        ：入力手段
OS        ：オペレーティングシステム
APP1      ：第１アプリケーションソフトウェア
APP2      ：第２アプリケーションソフトウェア
ST        ：状態遷移情報
P_OP_IMG  ：前開始画像（所定の画像）
V_INFO    ：車両情報
V_INFO_IMG：車両情報に対応する画像
【図１】
2018013648.tif 000003
【図２】
2018013648.tif 000004
【図３】
2018013648.tif 000005
【図４】
2018013648.tif 000006